(57)【要約】【課題】倒立姿勢における肘の屈伸運動が容易となるように人体を補助する逆立ち健康器を提供する。【解決手段】使用者１０１はうつ伏せの状態で足首固定部１０３および胴固定ベルト１０２に足首、胴を固定する。リモートコントローラ１２５にてモーター１１７を駆動すると、ロープ１０５が巻き取られ、支持棒１３１が上昇する。モーター１１７を停止し、肘の曲げ伸ばしを行うと、バネ１０９が伸び縮みする。【選択図】        図１
2004159869.tif 000002
【特許請求の範囲】
【請求項１】
人体の足部を保持する保持部と、
前記保持部に接続された牽引用線材と、
前記牽引用線材を介して前記保持部を牽引し、前記保持部を床面から所定の高さに引き上げる位置調節手段と、
前記牽引用線材の一部に設けられた弾性部材と、
を含むことを特徴とする逆立ち健康器。
【請求項２】
請求項１に記載の逆立ち健康器において、前記位置調節手段は、前記牽引用線材を巻き取る巻取部を含むことを特徴とする逆立ち健康器。
【発明の詳細な説明】
【０００１】
【発明の属する技術分野】
本発明は、逆立ち姿勢で肘の屈伸等の運動を行う健康器具に関する。
【０００２】
【従来の技術】
逆立ち姿勢は、背中と腰が伸ばされ、また人体に加わる重力の方向が通常と逆転するため、血行が促進され健康増進に効果的である。ところが逆立ちは必ずしも容易な姿勢ではない。そこで従来、逆立ち姿勢に容易に導くための逆さぶらさがり健康器具が提案されている（特許文献１）。
【０００３】
一方、逆立ち姿勢において、肘の屈伸等の運動を容易に行うことができれば、使用者の筋力増強や健康促進にさらに効果的である。しかし、従来の健康器具は、逆立ち姿勢を積極的に活用して運動することを目的とした設計となってはおらず、使用者はもっぱら逆立ち姿勢で健康器具にぶら下がるばかりであった。
【０００４】
【特許文献１】
実開平７−３４５号公報
【０００５】
【発明が解決しようとする課題】
そこで、本発明の目的は、倒立姿勢における肘の屈伸運動が容易となるように人体を補助する逆立ち健康器を提供することにある。
【０００６】
【課題を解決するための手段】
本発明によれば、人体の足部を保持する保持部と、前記保持部に接続された牽引用線材と、前記牽引用線材を介して前記保持部を牽引し、前記保持部を床面から所定の高さに引き上げる位置調節手段と、前記牽引用線材の一部に設けられた弾性部材と、を含むことを特徴とする逆立ち健康器が提供される。
【０００７】
本発明に係る逆立ち健康器によれば、保持部が使用者の体の一部を足部で保持した状態で引き上げられるため、使用者を倒立状態に安全かつ容易に導き、倒立状態を維持させることができる構成となっている。なお、「倒立」とは、人体の足部が頭部よりも上部に位置する姿勢をいい、人体が床面に直交した姿勢に限らず、所定の角度に傾斜した姿勢も含む。また、牽引用線材の一部に弾性部材が設けられているため、使用者の肘の屈伸運動に伴い弾性部材が伸縮する。よって、このような構成とすることにより、使用者は所定の角度の倒立姿勢で容易かつ安全に肘の屈伸運動等を行うことができる。
【０００８】
本発明に係る逆立ち健康器において、保持部は足部の一部を保持することができればよく、足部のどの部位を保持するかについては特に制限はない。また、「牽引用線材」には、人体の牽引に適切に用いることができるあらゆる線材を含み、たとえばロープ、紐、チェーンなどとすることができる。
【０００９】
本発明の逆立ち健康器において、前記位置調節手段は、前記牽引用線材を巻きとる巻取部を含む構成とすることができる。
【００１０】
巻取部が牽引用線材を巻きとることにより、保持部の床面からの高さが所定の位置となるように確実に調節し、牽引用線材を巻張させることができる。したがって、人体をより一層確実に倒立姿勢に導き、倒立姿勢を維持させることができる。
【００１１】
【発明の実施の形態】
（第一の実施形態）
図１（ａ）（ｂ）は、本実施形態に係る逆立ち健康器の構成を示す図である。図１（ａ）は逆立ち健康器の側面図、図１（ｂ）は正面図である。図１の逆立ち健康器は、骨格となる支柱１１１の下端に設けられた台座１１３により床面に固定される。支柱１１１に固定された滑車取付部１２９には、滑車１０７が固定されており、滑車１０７上をロープ１０５が移動する。また、ロープ１０５は、その一部にバネ１０９が設けられている。モーター１１７は、駆動部（不図示）と、ロープ１０５の一端を巻き取る巻取器（不図示）とを含む。ロープ１０５の他端は、支持棒１３１に固定されている。支持棒１３１は接続部材１３３によって支持板１２３に接続されている。支持板１２３には、使用者１０１を逆立ち健康器に固定するための胴固定ベルト１０２および足首固定部１０３が設けられている。また、支持板１２３には車輪１２７が設けられているため、床面を滑らかに移動することができる。また、使用者１０１は手首にはめたリモートコントローラ１２５を用いてモーター１１７を駆動させてロープ１０５の巻き上げまたは巻き下ろしを行うことにより、支持棒１３１の高さを調節する。
【００１２】
図１の逆立ち健康器において、支柱１１１や台座１１３の材料に特に制限はないが、たとえば支柱１１１は金属製またはプラスチック製とする。また、台座１１３はゴム製、プラスチック製、金属製などとする。
【００１３】
また使用者１０１が倒立姿勢において、肘の屈伸運動を容易に行うことができるように、支持棒１３１、支持板１２３にはできるだけ軽量の素材を用いることが好ましい。これらはたとえば木製、プラスチック製等とする。また、滑車取付部１２９の形状に特に制限はなく、たとえばブラケットなどとし、これを支柱１１１に固定して用いる。
【００１４】
次に、図１の逆立ち健康器の使用方法について、図２を用いて説明する。図２は、本実施形態に係る逆立ち健康器の構成を示す側面図である。まず使用者１０１は、図２（ａ）のようにロープ１０５が十分に引き出され、支持板１２３が床面１１５に接地された状態で、支持板１２３上にうつ伏せになり、足首固定部１０３に足を通す。そして、胴固定ベルト１０２によって胴を支持板１２３に固定する。
【００１５】
次に、使用者１０１は手首にはめたリモートコントローラ１２５を操作してモーター１１７を駆動させ、ロープ１０５を巻き上げる。すると、ロープ１０５に接続された支持棒１３１が上昇する（図２（ｂ））。このとき、支持棒１３１は４本の支柱１１１の間を滑るように移動する。支持棒１３１には前述のように接続部材１３３によって支持板１２３が固定されているため、支持棒１３１の上昇に伴い支持板１２３が上昇する。このとき、使用者１０１は安全のため両脇を締めた体勢をとるとよい。また、使用者１０１は上体をやや反らし、顔面が床面１１５に接触しないようにするとよい。
【００１６】
そして、使用者１０１の運動能力に応じた高さまで支持棒１３１を上昇させた後、リモートコントローラ１２５によってモーター１１７を停止する（図２（ｃ））。図２（ｃ）では、使用者１０１は肘を曲げた状態で床面１１５に手をつくことができるように、支持棒１３１の高さを調節する。このとき、ロープ１０５の一部に設けられたバネ１０９は、使用者１０１、支持板１２３、支持棒１３１、接続部材１３３等の質量により伸ばされた状態である。以下、使用者１０１の肘の屈伸とバネ１０９の動きについて、図３を用いて説明する。図３は、図１の逆立ち健康器のバネの動きを説明するための模式図である。
【００１７】
図３（ａ）は、図２（ｃ）におけるバネ１０９の状態が拡大して示された模式図である。図３（ａ）では、図２（ｃ）を用いて説明したように、使用者１０１が肘を曲げており、バネ１０９は伸びた状態である。次に、使用者１０１が肘を伸ばした状態が図３（ｂ）である。図３（ｂ）では、使用者１０１が重力に逆らって肘を伸ばすため、バネ１０９が縮む。このように、使用者１０１が肘の屈伸運動を行うと、バネ１０９は図３（ａ）、図３（ｂ）に示すように伸び縮みする。
【００１８】
運動終了が終了した際には、使用者１０１は再度リモートコントローラ１２５を操作してモーター１１７を駆動させ、ロープ１０５を巻き下ろす。すると、支持棒１３１が下降する。このとき、支持板１２３に設けられた車輪１２７が床面１１５上を回転するため、着地時の衝撃を抑制することができる。そして、着地後、モーター１１７を停止し、胴固定ベルト１０２を外し、足首固定部１０３から足を抜く。
【００１９】
以上のように、図１の逆立ち健康器では、使用者１０１が倒立姿勢で腕の屈伸運動を行うことができる。このとき、支持棒１３１が４本の支柱１１１の間に設けられており、また、支持板１２３に胴と足首が固定されているため、安定な姿勢で運動することができる。また使用者１０１は、支持棒１３１の高さを調節することにより、支持板１２３と床面１１５とのなす角を任意に調節することができる。したがって、体力に応じて適切な角度で腕の屈伸運動を行うことができる。
【００２０】
なお、図１の逆立ち健康器において、バネ１０９は、他の弾性体、たとえばゴムなどとすることもできる。また、胴固定ベルト１０２、足首固定部１０３は、使用者１０１を安全に支持板１２３上に固定することができれば、ベルト以外の態様とすることもできる。たとえば、足首固定部１０３を、靴またはブーツが支持板１２３に固定された態様としてもよい。また、ロープ１０５は、支持棒１３１、支持板１２３、および使用者１０１等の質量に耐えられる線材であれば他の材料でもよく、たとえば金属チェーンなどとしてもよい。
【００２１】
また、リモートコントローラ１２５は、使用者１０１が支持板１２３に身体を固定した状態で使用することができる位置であれば、使用者１０１の手首以外の位置に設けてもよく、たとえば床面１１５に設置してもよい。床面１１５に設置しておけば、使用者１０１が片手を床面１１５についた状態でリモートコントローラ１２５を操作することができるため、さらに安全である。
【００２２】
（第二の実施形態）
図４は、本実施形態に係る逆立ち健康器を示す図である。図４（ａ）は側面図、図４（ｂ）は正面図である。図４の逆立ち健康器は、図１の逆立ち健康器において、支持板１２３の代わりに足首固定板１３５を用い、足首固定板１３５に足首固定部１０３を固定した構成となっている。
【００２３】
使用者１０１は足首固定板１３５に設けられた足首固定部１０３に足を通す。その後は第一の実施形態と同様にして倒立姿勢における肘の屈伸運動を行うことができる。
【００２４】
支持板１２３の代わりに足首固定板１３５を用いることにより、使用者１０１はより容易に足首固定部１０３に足を通すことができる。また、使用者１０１はより腕立て伏せに近い運動を行うことが可能となるため、体力増進にさらに効果的である。
【００２５】
また、図５は図４の逆立ち健康器において、支持台１１９を用いた態様を示す図である。図４の逆立ち健康器においては支持板１２３を用いないため、使用者１０１の体力に応じて、適宜図５に示されるように支持台１１９を用いてもよい。こうすることにより、使用者１０１の姿勢をより安定にすることができる。
【００２６】
【発明の効果】
以上説明したように本発明によれば、人体の足部を保持する保持部と、保持部に接続された牽引用線材と、牽引用線材を介して前記保持部を牽引し、保持部を床面から所定の高さに引き上げる位置調節手段と、牽引用線材の一部に設けられた弾性部材と、を含むことにより、倒立姿勢における肘の屈伸運動が容易となるように人体を補助する逆立ち健康器が実現される。
【図面の簡単な説明】
【図１】本発明の実施の形態に係る逆立ち健康器の構成を示す図である。
【図２】本発明の実施の形態に係る逆立ち健康器の構成を示す側面図である。
【図３】図１の逆立ち健康器のバネの動きを説明するための模式図である。
【図４】本発明の実施の形態に係る逆立ち健康器の構成を示す図である。
【図５】図４の逆立ち健康器において、支持台を用いた態様を示す図である。
【符号の説明】
１０１  使用者
１０２  胴固定ベルト
１０３  足首固定部
１０５  ロープ
１０７  滑車
１０９  バネ
１１１  支柱
１１３  台座
１１５  床面
１１７  モーター
１１９  支持台
１２３  支持板
１２５  リモートコントローラ
１２７  車輪
１２９  滑車取付部
１３１  支持棒
１３３  接続部材
１３５  足首固定板
【図１】
2004159869.tif 000003
【図２】
2004159869.tif 000004
【図３】
2004159869.tif 000005
【図４】
2004159869.tif 000006
【図５】
2004159869.tif 000007